(57)【特許請求の範囲】
【請求項１】
複数のチャネルを同時に使用可能な通信端末において、
第１チャネルを使用して行われる通話中に、第２チャネルを使用して通信データの送受信を行う通信相手端末との間でデータを送受信する送受信手段と、
前記送受信手段を制御し、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御手段と、
から構成することを特徴とする通信端末。
【請求項２】
複数のチャネルを同時に使用可能な通信方法において、
第１チャネルを使用して行われる通話中に、第２チャネルを使用して通信データの送受信を行う通信相手端末との間でデータを送受信する送受信工程と、
前記送受信工程で、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御工程と、
を備えることを特徴とする通信方法。
【請求項３】
第１チャネルを使用して行われる通話中に、第２チャネルを使用して通信データの送受信を行う通信相手端末との間でデータを送受信する送受信手段と、
前記送受信手段を制御し、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御手段と、
から構成されていることを特徴とする通信端末としてコンピュータを機能させるためのプログラムを記録したコンピュータ読み取り可能な記録媒体。
【発明の詳細な説明】
【０００１】
【発明の属する技術分野】
本発明は、通信端末及び通信方法に関する。また、本発明は、通信するためのプログラムを記録した記録媒体に関する。
【０００２】
【従来の技術】
電話で通話するためには、発呼者が通話先の電話番号を知っていなければならい。従って、ＡがＢに電話したいが、Ｂの電話番号を知らないような場合には、ＡはＢの電話番号を電話帳等の様々な方法で調べなければならない。
【０００３】
電話番号を調べる方法として、友人間等では、Ａから、Ｂとの共通の知人であるＣに電話してＢの電話番号を教えてもらい、その後、教えてもらった番号に改めて電話するようなことが行われている。
【０００４】
【発明が解決しようとする課題】
この方法では、Ａは、Ｃから取得した電話番号を紙にメモしたり、記憶したりした後、Ｃとの電話を切断し、改めてＢに電話しなければならず、操作が煩雑であり、電話のかけ間違い等が発生しやすい。
【０００５】
同様の問題は、友人間に限らず、通話中に取得した電話番号に発呼する様々な場面で発生する。さらに、同様の問題は、有線・無線の電話に限らず、通信に相手先のアドレスを必要とする様々な通信に共通に発生する。
【０００６】
従って、本発明は、通話中に取得した電話番号に簡単に発呼することが可能な通信端末及び通信方法を提供することを目的とする。
また、本発明は、通話中に取得した電話番号に簡単に発呼することが可能な通信端末及び通信方法を提供することを目的とする。
また、本発明は、簡単な操作で通信を可能にするプログラムを記録した記録媒体を提供することを目的とする。
【０００７】
【課題を解決するための手段】
上記目的を達成するために、本発明の第１の観点にかかる通信端末は、複数のチャネルを同時に使用可能な通信端末であって、第１チャネルを使用して行われる通話中に、第２チャネルを使用して通信データの送受信を行う通信相手端末との間でデータを送受信する送受信手段と、前記送受信手段を制御し、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御手段と、から構成されていることを特徴とする。
【００１２】
本発明の第２の観点にかかる通信方法は、複数のチャネルを同時に使用可能な通信方法において、第１チャネルを使用して行われる通話中に、第２チャネルを使用して通信データの送受信を行う通信相手端末との間でデータを送受信する送受信工程と、前記送受信工程で、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御工程と、を備えることを特徴とする。
【００１４】
本発明の第３の観点にかかるコンピュータ読み取り可能な記録媒体は、第１チャネルを使用して行われる通話中に、第２チャネルを使用して通信データの送受信を行う通信相手端末との間でデータを送受信する送受信手段と、前記送受信手段を制御し、前記通信相手端末以外の第三者端末の電話番号あるいは該第三者端末への接続に関する情報である呼制御情報を通信データとして前記第２チャネルを使用して該通信相手端末から受信し、前記通話の終了に応答して、受信した前記電話番号あるいは前記呼制御情報を用い、前記第１チャネルを使用して該第三者端末に発呼する制御手段と、から構成されていることを特徴とする通信端末としてコンピュータを機能させるためのプログラムを記録している。
【００１５】
【発明の実施の形態】
現在、Ｗ−ＣＤＭＡ（Wideband Code Division Multiple Access）方式の携帯電話システムが、第３世代携帯電話システムの一つとして注目を集めている。以下では、２つの端末間で複数種類の通信線を設けることができる端末について、Ｗ−ＣＤＭＡシステムを例に取って説明する。なお、端末間に設けられる複数の通信線はあくまでもイメージであり、実際には１つの無線電波であることが多い。
【００１６】
以下に、Ｗ−ＣＤＭＡ方式の携帯電話システムについて簡単に説明する。
送信データを作成する場合、まず、音声チャネル、データチャネル、パケットチャネル、及び、制御用の制御データチャネルなどのＴｒＣＨ（Transport Channel）のそれぞれについて、データ伝送上の誤り対策処理（コーディング）を行い、ＣＣＴｒＣＨ（Coded Composite Tranport Channel）と呼ばれるチャネルに集約する。
【００１７】
その後、ＣＣＴｒＣＨのデータ量に応じて、ＰｈｙＣＨ（Physical Channel）を１つ又は複数生成し、生成したＰｈｙＣＨにＣＣＴｒＣＨを載せる。なお、ＰｈｙＣＨは基本的には１つであるが、データ量が所定量よりも多い場合はその数を増やすことができる。
そして、各ＰｈｙＣＨにそれぞれ異なった拡散コードを与え、多重化することにより、端末から送信する送信データを作成する。
【００１８】
送信データを受信した通信回線網では、上記と逆の手順で送信データから各ＴｒＣＨを抽出する。そして、呼制御情報等により指定される宛先を各ＴｒＣＨに割り振り、指定された宛先の端末をそれぞれ呼び出す。
【００１９】
続けて、端末からの送信時と同様に、各宛先毎に各ＴｒＣＨのコーディングを行い、ＣＣＴｒＣＨに集約した上でＰｈｙＣＨに載せる。なお、正確には、端末からの送信時とは伝送レートなとが違う上、トラフィック管理が容易であるためＣＣＴｒＣＨにＰｈｙＣＨをあてがうルールは若干異なる。
そして、各ＰｈｙＣＨに拡散コードを与え、多重化してから各端末に送信する。受信側端末では上記と逆の手順により、必要な情報を得る。
【００２０】
なお、複数のＴｒＣＨを用いることにより、音声とデータ、音声と音声チャネルを確保できる機能をマルチコール（Multi Call）機能と呼ぶ。また、拡散コードを用いて複数のＰｈｙＣＨを送信データ中に持つことができる機能をマルチコード（Multi Code）機能と呼ぶ。
【００２１】
また、ＴｒＣＨ中における、音声についての部分を音声チャネル、音声チャネルと制御データチャネルを除いた他のデータについての部分をデータチャネルと呼ぶ。
【００２２】
また、通信の開始や既存の通信に、新たなチャネルを設ける旨を通知する場合、以下の説明では特に記載しないが、上記した制御データチャネルが用いられる。
【００２３】
次に、上記マルチコール機能を用いて、音声通話中にデータチャネルで発信する場合の動作について説明する。
音声通話中は、通話相手に対する音声とその制御データについての各ＴｒＣＨがコーディングされ、ＣＣＴｒＣＨに集約される。
【００２４】
この状態においてデータチャネルで発信する場合は、新たなデータチャネルの宛先を示す呼制御情報を既存の制御データに加え、新たなデータチャネルと既存の音声チャネルとをコーディングした後、ＣＣＴｒＣＨに集約する。以上が、通話中におけるマルチコールでのデータ発信である。
【００２５】
データチャネルでの通信中に音声チャネルを設ける場合も、上記と同様の動作が行われる。
【００２６】
以下に示す各実施の形態では、マルチコール機能を例に取って本発明を説明する。なお、ＴｒＣＨを用いたマルチコール機能により、複数のチャネルを設ける場合の説明となっているが、今後のＷ−ＣＤＭＡ方式の規格変動によっては、ＰｈｙＣＨを用いたマルチコード機能により本発明を実現することも可能である。
【００２７】
（第１の実施の形態）
次に、本発明の第１の実施の形態にかかる通信システムについて図面を参照して説明する。
【００２８】
第１の実施の形態にかかる通信システムは、図１に示すように、複数の通信端末（電話機）１と、無線又は有線の通信回線網（公衆電話回線網）３から構成されている。
【００２９】
各通信端末１は、音声チャネルとデータチャネルの２つの通信チャネルを同時に使用可能なマルチコール機能を備えている。なお、音声チャネルは音声データを送受信するための通信チャネルであり、データチャネルは音声データ以外のデータ、例えば、文字データや画像データ、通信相手の通信端末を制御するための制御信号等を送受信するための通信チャネルである。
【００３０】
各通信端末１は、図２に示すように、キー操作部１１と、送受話部１２と、無線送受信部１３と、表示部１４と、メモリ１５と、制御部１６と、を備える。
【００３１】
キー操作部１１は、複数の操作キー等を備え、通信端末１の利用者により操作される。キー操作部１１は、利用者の操作に従って、通信端末を動作させるための様々な信号を制御部１６に出力する。例えば、キー操作部１１は、利用者の操作に従って、発信信号、データ取得信号、及び、発信命令信号等を制御部１６に出力する。
【００３２】
なお、発信信号は、音声チャネルを使用して利用者が指定する電話番号の端末に発信（発呼）することを指示する信号である。また、データ取得信号は、データチャネルを使用して通信相手の端末から必要なデータ（電話番号のデータ等）を取得することを指示する信号である。また、発信命令信号は、通信相手の端末を制御して第三者の端末へ発信させることを指示する信号である。
【００３３】
送受話部１２は、スピーカやマイクロフォン等を備え、音声を音声データに変換して制御部１６に出力する。また、送受話部１２は、制御部１６から供給される音声データを音声に変換して出力する。
【００３４】
無線送受信部１３は、アンテナ、高周波回路等を備え、制御部１６から供給される音声データ、データ信号等で搬送波を変調し、他の端末に送出する。また、無線送受信部１３は、他の端末から供給される電波を受信し、音声データ等に復調して制御部１６に出力する。無線送受信部１３は、音声チャネルとデータチャネルとを有し、音声チャネルで音声通話と、データチャネルでのディジタルデータの送受信とが同時に可能である。また、音声チャネルとデータチャネルとの通信先は異なっていてもよい。
【００３５】
表示部１４は、液晶パネル等を備え、電波強度や電話番号、通信端末の動作状況等の様々な情報を所定の文字列やマーク等により表示する。
メモリ１５は、ＲＡＭ、ＲＯＭ、フラッシュメモリなどから構成され、図３（ａ）に示すような表示候補リスト、図３（ｂ）に示すような電話帳等を記憶する。図３（ａ）に示す表示候補リストは、過去の通信履歴などに基づいて生成され、通信先の候補のリストを記憶している。図３（ｂ）は、ユーザが登録した通信先の候補のリストである。メモリ１５は、他の端末と通信を行うための通信アプリケーションや、自端末の電話番号等も記憶している。
【００３６】
制御部１６は、プロセッサなどから構成され、メモリ１５が記憶している通信アプリケーションに従って通信端末１を構成する上記各部の動作を制御し、他端末との通信を行う。なお、制御部１６の詳しい動作については後述する。
【００３７】
次に、上記構成の通信端末１の動作を、図４のフローチャートを参照して説明する。
各通信端末１のキー操作部１１は、所定の手順でキーが操作されると、音声チャネルで通話中の通信端末から電話番号を取得することを指示するデータ取得要求信号を制御部１６に出力する。
【００３８】
制御部１６は、データ取得信号に応答して、図４に示す処理を開始し、現在音声チャネルで通話中か否かを判別し（ステップＳ１１）、通話中でなければ、このキー操作を無視する。一方、現在通話中であれば、無線送受信部１３を制御し、音声チャネルで通話中の通信端末に、データチャネルで接続し（ステップＳ１２）、他通信端末の電話番号の送信を要求する番号要求信号を送信（発信）する（ステップＳ１３）。
【００３９】
各通信端末１の制御部１６は、他の通信端末から番号要求信号を無線送受信部１３を介して受信すると、この番号要求信号に応答して、送受話部１２又は表示部１４を制御して、音声チャネルで通話中の相手に通知するための電話番号データの入力又は選択を促すメッセージを出力する（ステップＳ２１）。
【００４０】
このメッセージに応答して、使用者は、キー操作部１１を操作して、電話番号を入力（又は予めメモリ１５に記録しておいた電話番号の中から選択）し、或いは、電話番号の通知を拒否する。
【００４１】
使用者の操作は、ステップＳ２２で検出される。入力が「拒否」の場合には、処理を終了する（拒否する旨を要求元の通信端末１に送信し、回線を切断してもよい）。一方、利用者が電話番号を入力又は選択し、データ（電話番号）の送信を指示すると、制御部１６は、指示に応答して、データチャネルで、番号要求信号の送信元の通信端末）に送信する（ステップＳ２３）。
【００４２】
各通信端末の制御部１６は、返信された電話番号を無線送受信部１３を介して受信すると、メモリ１５上の表示候補リストに最優先表示優先度として追加する（ステップＳ３１）。この際、このデータの履歴として、所定の端末から取得したものである旨を記憶させる。
【００４３】
続いて、制御部１６は、他の通信端末からの電話番号の取得が完了した旨のメッセージを、送受話部１２又は表示部１４を制御して、出力する（ステップＳ３２）。
その後、データチャネルを切断する（ステップＳ３３）。
【００４４】
利用者は、通常、メッセージに応答して、キー操作部１１を操作して、電話番号を表示を指示する。制御部１６は、この操作に応答して、表示候補リスト中の優先度の最も高い電話番号とその履歴を表示する。以後、通常のボタン操作にて、表示されている電話番号に発呼（発信）可能である。
【００４５】
なお、ステップＳ２３で、電話番号の送信が完了した時点で、音声チャネルとデータチャネルの両方又は一方を切断するようにしてもよい。
【００４６】
このような構成とすることにより、各利用者は、通話中に、通話相手から第三者の電話番号をデータチャネルを介して取得してメモリに記憶させ、通話終了後、この第三者に簡単な操作で電話をかけることができる。
【００４７】
（具体例）
以下、上記構成の通信端末１の具体的な使用例を、図５に示すような３台の通信端末Ａ，Ｂ，Ｃで通信を行う場面を例に説明する。
【００４８】
なお、以下の説明では、通信端末Ａ、Ｂ、及び、Ｃの利用者を、それぞれ利用者Ａ、利用者Ｂ、及び、利用者Ｃと呼ぶ。また、通信端末の各部を示す参照番号の後に、通信端末を示すアルファベットの小文字を付すことにより、各部がどの通信端末に属しているのかを表す。
【００４９】
利用者Ａが電話番号を知らない利用者Ｃ（通信端末Ｃ）に電話する場合について説明する。なお、利用者Ｂは、通信端末Ｃの電話番号を知っているとする。
【００５０】
図６は、通信端末Ａ、Ｂ、及び、Ｃがそれぞれ行う動作を示す流れ図である。
利用者Ａは、通信端末Ｃの電話番号を知らないため、始めに、利用者Ｂに電話して通信端末Ｃの電話番号を取得する。
【００５１】
具体的には、利用者Ａは、通信端末Ａのキー操作部１１ａを所定の手順で操作し、通信端末Ｂ（利用者Ｂ）の電話番号を入力する。又は、利用者Ａは、予めメモリ１５ａに記録（登録）しておいた電話番号の中から、通信端末Ｂの電話番号を選択する。
【００５２】
キー操作部１１ａは、利用者Ａが入力した又は選択した電話番号を示す発信信号を制御部１６ａに出力する。
制御部１６ａは、キー操作部１１ａからの発信信号に応答して無線送受信部１３ａを制御し、音声チャネルを使用して通信端末Ｂに発信する。
【００５３】
利用者Ｂは、通信端末Ｂのキー操作部１１ｂを操作して通信端末Ａからの着信に応答し、利用者Ａと通話する。
【００５４】
利用者Ａは、利用者Ｂと通話して、通信端末Ｃの電話番号を教えてほしいという要求に対する了解を得ると、通信端末Ｃの電話番号を取得するため、キー操作部１１ａを所定の手順で操作する。このキー操作に応答して、キー操作部１１ａは、データチャネルを使用して音声チャネルで通話中の通信端末から電話番号を取得することを指示する番号要求信号を制御部１６ａに出力する。
【００５５】
制御部１６ａは、キー操作部１１ａからのデータ取得信号に応答して、現在音声チャネルで通話中か否かを判別し、通話中であれば、無線送受信部１３ａを制御し、現在音声チャネルで通話中の通信端末Ｂに、データチャネルを使用して他通信端末の電話番号を要求する番号要求信号を送信（発信）する。
【００５６】
通信端末Ｂの制御部１６ｂは、通信端末Ａからの番号要求信号を無線送受信部１３ｂを介して受信する。制御部１６ｂは、この番号要求信号に応答して、表示部１４ｂを制御して、音声チャネルで通話中の相手に通知するための電話番号データの入力又は選択を促すメッセージ等を表示する。
【００５７】
利用者Ｂは、表示部１４ｂのメッセージ等に応答してキー操作部１１ｂを操作し、通信端末Ｃの電話番号を入力する。又は、利用者Ｂは、予めメモリ１５ｂに記録（登録）しておいた電話番号の中から、通信端末Ｃの電話番号を選択する。電話番号の入力又は選択が完了すると、利用者Ｂは、キー操作部１１を操作して、データ（電話番号データ）の送信を指示する。
【００５８】
制御部１６ｂは、指示に応答して、利用者Ｂがキー操作部１１ｂを操作して入力した又は選択した電話番号を、データチャネルで番号要求信号の送信元である通信端末Ａに送信する。
【００５９】
通信端末Ａの制御部１６ａは、通信端末Ｂから供給された電話番号を無線送受信部１３ａを介して受信し、メモリ１５ａの所定領域に記憶させる。そして、制御部１６ａは、無線送受信部１３ａを制御して通信端末Ｂとのデータチャネルを切断する。
その後、制御部１６ａは、送受話部１２ａや表示部１４ａ等を制御し、電話番号の取得が完了したことを音声や文字列等により利用者Ａに通知する。
【００６０】
利用者Ａは、電話番号の取得が完了した後、キー操作部１１ａを操作して通信端末Ｂとの間の音声チャネルを切断する。なお、この際、利用者Ａが電話番号の取得が完了したことを通話により利用者Ｂに通知し、利用者Ｂがキー操作部１１ｂを操作して通信端末Ａとの音声チャネルを切断してもよい。
【００６１】
その後、利用者Ａは、利用者Ｃに電話するため、キー操作部１１ａを操作し、メモリ１５ａに記録されている電話番号を表示させる。このとき制御部１６ａは、先に受信した通信端末Ｃの電話番号をトップに表示する。利用者Ａは、表示されている電話番号への発信するため、通話ボタンを操作する。これにより、キー操作部１１ａは、音声チャネルを使用して通信端末Ｃへ発信することを指示する発信信号を制御部１６ａに出力する。
【００６２】
制御部１６ａは、キー操作部１１ａからの発信信号に応答して無線送受信部１３ａを制御し、音声チャネルを使用して通信端末Ｃに発信する。
利用者Ｃは、通信端末Ｃのキー操作部１１ｃを操作して通信端末Ａからの着信に応答し、利用者Ａと通話する。
【００６３】
以上のように、利用者Ａは、通話相手である利用者Ｂから得た情報を利用して、簡単な操作で、利用者Ｃに電話することができる。具体的には、利用者Ａは、通信端末Ａを操作して、通信端末Ｂから得た通信端末Ｃの電話番号を用いて、利用者Ｃと通話することができる。この際、通信端末Ｃの電話番号は、データとして通信端末Ｂから通信端末Ａに送信される。このように、データチャネルを使用して、通信端末Ａと通信端末Ｂとの間で第三者に関するデータ（情報）を共有することができるため、利用者Ａ及びＢが行う操作が非常に簡単になり、番号のかけ間違い等がなくなる。
【００６４】
なお、この発明は、上記実施の形態及びその具体例に限定されず、様々な変形及び応用が可能である。
また、例えば、他通信端末からの要求を受け付けた通信端末で、ステップＳ２１でメッセージを表示すると共に自動的に図３（ｂ）に示す電話帳を画面に表示し、電話番号の選択を可能とし、任意の番号が選択されると、選択されたデータを自動的に返信する（ステップＳ２３）ようにしてもよい。
【００６５】
さらに、図７に示すように、電話番号帳の各データに公開レベルのフラグを設定しておき、ステップＳ２１でのメッセージに従って、利用者が公開レベルを指定すると、指定された範囲内のデータをステップＳ２３で送信するようにしてもよい。例えば、利用者が公開レベル２を指定すれば、公開レベル２に設定されているデータがステップＳ２３で要求元の通信端末１に送信される、一方、利用者が公開レベル１を指定すれば、公開レベル１又は２に設定されているデータがステップＳ２３で要求元の通信端末１に送信される。データを受信した通信端末１は、これをメモリ１５に格納し、データを自己の電話電号帳に取り込んだり、自己の電話番号帳と併用する等可能である。
【００６６】
例えば、上記実施の形態では、音声チャネルでの通話中にデータチャネルを介して取得するデータとして電話番号（正確には、電話番号を示すデータ）を例示したが、送受信されるデータの種類やフォーマットは任意であり、例えば、電話番号、メールアドレス、ＵＲＬ(Universal Resources Locator)などでもよい。
【００６７】
取得するデータが多種類にわたる場合に、例えば、図４のステップＳ３１で、取得したデータの種類を判別し、判別した種類に対応する処理を実行するようにしてもよい。例えば、制御部１６は、データを受信すると、供給されたデータが電話番号、メールアドレス、ＵＲＬの何れであるかを判別する。
【００６８】
データが電話番号である場合、制御部１６は、それまでの通話が完了すると、無線送受信部１３を制御して、供給された電話番号の端末に自動的に発呼する。また、受信データがメールアドレスである場合、制御部１６は、メーラを起動し、表示部１４にメール作成画面を表示させる。この際、宛先アドレスには、受信したメールアドレスを設定する。データがＵＲＬである場合、制御部１６は、ブラウザを起動し、ＵＲＬ入力エリアに受信したＵＲＬをセットし、ブラウザの画面を表示部１４に表示させる。
【００６９】
なお、無線送受信部１３に第２の音声チャネルを用意し、元の音声チャネルを維持したまま、取得した電話番号に発呼し通話可能にしてもよい。
【００７０】
（第２の実施の形態）
上記第１の実施の形態においては、通話中に通話先から電話番号を取得し、取得した電話番号に発呼する例を説明したが、通話中に通話先に電話番号を通知し、通話先からその電話番号に発呼可能に構成することも可能である。以下、そのような構成の第２の実施の形態を説明する。
【００７１】
この第２の実施形態の機器構成は図１乃至図３を参照して示した第１の実施の形態の機器構成と同一である。但し、第１の実施の形態とは動作が異なる。
そこで、以下、第２の実施の形態の通信端末１の動作を、図８のフローチャートを参照して説明する。
【００７２】
各通信端末１のキー操作部１１は、電話番号が入力され、続いて、所定の手順でキーが操作されると、音声チャネルで通話中の通信端末に電話番号を通知することを指示するデータ通知要求信号を制御部１６に出力する。
【００７３】
制御部１６は、データ通知要求信号に応答して、図８に示す処理を開始し、現在音声チャネルで通話中か否かを判別し（ステップＳ４１）、通話中でなければ、このキー操作を無視する。一方、通話中であれば、無線送受信部１３を制御し、音声チャネルで通話中の通信端末１に、データチャネルで接続し（ステップＳ４２）、電話番号を送信をする（ステップＳ４３）。
【００７４】
各通信端末１の制御部１６は、他の通信端末から電話番号が通知されると、図８に示す処理を開始し、まず、受信した電話番号をメモリ１５に格納する（ステップＳ５１）。
【００７５】
続いて、制御部１６は、音声チャネルによる通話が終了したか否かを判別し（ステップＳ５２）、終了していれば、通知された電話番号に自動的に発呼する（ステップＳ５３）。
【００７６】
このような構成とすることにより、各利用者は、通話中に、通話相手から通知された電話番号に簡単な操作で発呼することができる。なお、図８のフローチャートで、ステップＳ５１で電話番号を表示優先度を最上位として記憶して、処理を終了してもよい。この場合は、以後は、利用者の判断で、メモリ１５に記憶されている電話番号を表示させ、発呼するようにすればよい。
【００７７】
（具体例）
以下、第２の実施の形態の通信端末１の具体的な使用例を、利用者Ａが、利用者Ｃに電話することを、利用者Ｃ（通信端末Ｃ）の電話番号を知らない利用者Ｂに依頼する場合を例に説明する。なお、利用者Ａは、通信端末Ｃの電話番号を知っているとする。
【００７８】
図９は、通信端末Ａ、Ｂ、及び、Ｃがそれぞれ行う動作を示す流れ図である。始めに、利用者Ａは、利用者Ｃに電話することを依頼するため、利用者Ｂに電話する。
【００７９】
具体的には、利用者Ａは、通信端末Ａのキー操作部１１ａを所定の手順で操作し、通信端末Ｂ（利用者Ｂ）の電話番号を入力する。又は、利用者Ａは、予めメモリ１５ａに記録（登録）しておいた電話番号の中から、通信端末Ｂの電話番号を選択する。
【００８０】
キー操作部１１ａは、利用者Ａが入力した又は選択した電話番号を示す発信信号を制御部１６ａに出力する。
制御部１６ａは、キー操作部１１ａからの発信信号に応答して無線送受信部１３ａを制御し、音声チャネルを使用して通信端末Ｂに発信する。
【００８１】
利用者Ｂは、通信端末Ｂのキー操作部１１ｂを操作して通信端末Ａからの着信に応答し、利用者Ａと通話する。この通話により、利用者Ａは、利用者Ｃに電話することを利用者Ｂに依頼する。
【００８２】
しかし、上記したように、利用者Ｂは、通信端末Ｃ（利用者Ｃ）の電話番号を知らない。このため、利用者Ａは、以下に示すようにして、通信端末Ｃの電話番号を通信端末Ｂに送信し、通信端末Ｂから通信端末Ｃに発信させる。
【００８３】
具体的には、利用者Ａは、キー操作部１１ａを所定の手順で操作し、通信端末Ｃの電話番号を入力する。又は、利用者Ａは、予めメモリ１５ａに記録（登録）しておいた電話番号の中から、通信端末Ｂに発信させる端末の電話番号（通信端末Ｃの電話番号）を選択する。
【００８４】
キー操作部１１ａは、利用者Ａの操作に応答して、データ通知要求信号を制御部１６ａに出力する。
制御部１６ａは、キー操作部１１ａからのデータ通知要求信号に応答して無線送受信部１３ａを制御し、データチャネルを使用して入力（又は選択）された通信端末Ｃの電話番号及び発信命令などの接続に関する全て又は一部の情報を呼制御情報として通信端末Ｂに送信する。
【００８５】
通信端末Ｂの制御部１６ｂは、無線送受信部１３ｂを介して通信端末Ａから供給される呼制御情報に応答して無線送受信部１３ｂを制御し、通信端末Ａとのデータチャネルを切断する。
【００８６】
続いて、制御部１６ｂは、通信端末Ｃに発信するために、無線送受信部１３ｂを制御して、通信端末Ａとの音声チャネルを切断する。なお、データチャネル及び音声チャネルの切断は、通信端末Ａの制御部１６ａが行ってもよい。
その後、制御部１６ｂは、通信端末Ａから供給された呼制御情報に従って無線送受信部１３ｂを制御し、音声チャネルを使用して通信端末Ｃに発信する。
【００８７】
利用者Ｃは、通信端末Ｃのキー操作部１１ｃを操作し、通信端末Ｂからの着信に応答する。これにより、利用者Ｂと利用者Ｃは、音声チャネルを使用して通話することができる。
【００８８】
以上のように、利用者Ａは、通話相手である利用者Ｂに利用者Ｃに関する情報を送信し、利用者Ｂから利用者Ｃに電話させることができる。具体的には、利用者Ａは、通信端末Ａを操作して、通信端末Ｃの電話番号あるいは上記呼制御情報を通信端末Ｂに送信し、通信端末Ｂから通信端末Ｃに発信させ、利用者Ｂと利用者Ｃとを通話させることができる。
【００８９】
一方、利用者Ｂは、通話相手である利用者Ａから得た情報を利用して、利用者Ｃに電話することができる。具体的には、通信端末Ｂが通信端末Ａから供給される通信端末Ｃの電話番号あるいは上記呼制御情報に従って通信端末Ｃに発信し、利用者Ｂは利用者Ｃと通話することができる。
【００９０】
この際、通信端末Ｃの電話番号は、データとして通信端末Ａから通信端末Ｂに送信される。このように、データチャネルを使用して、通信端末Ａと通信端末Ｂとの間で第三者に関するデータ（情報）を共有することができるため、利用者Ａ及びＢが行う操作が非常に簡単になり、番号のかけ間違い等がなくなる。
【００９１】
（変形例）
第１の実施の形態と同様に、音声チャネルでの通話中にデータチャネルを介して送信・受信するデータとして電話番号（正確には、電話番号を示すデータ）を例示したが、送受信されるデータの種類やフォーマットは任意であり、例えば、電話番号、メールアドレス、ＵＲＬ(Universal Resources Locator)などでもよい。
【００９２】
送受信されるデータが多種類にわたる場合に、例えば、図８のステップＳ５１で、受信したデータの種類を判別し、判別した種類に対応する処理を実行するようにしてもよい。例えば、制御部１６は、データを受信すると、供給されたデータが電話番号、メールアドレス、ＵＲＬの何れであるかを判別する。
【００９３】
データが電話番号である場合、制御部１６は、それまでの通話が完了すると、無線送受信部１３を制御して、通知された電話番号の通信端末に自動的に発呼する或いは表示候補リストに追加する。また、受信データがメールアドレスである場合、制御部１６は、メーラを起動し、表示部１４にメール作成画面を表示させる。この際、宛先アドレスには、受信したメールアドレスを設定する。データがＵＲＬである場合、制御部１６は、ブラウザを起動し、ＵＲＬ入力エリアに受信したＵＲＬをセットし、ブラウザの画面を表示部１４に表示させる。
【００９４】
なお、無線送受信部１３に第２の音声チャネルを用意し、元の音声チャネルを維持したまま、取得した電話番号に発呼し通話可能してもよい。
【００９５】
（第３の実施の形態）
次に、以下、第１及び第２の実施の形態にかかる通信システムを応用した診断システムに係る第３の実施の形態を図面を参照して説明する。
【００９６】
第３の実施の形態にかかる診察システムは３つの通信端末Ａ、Ｂ、及び、Ｃから構成されている。なお、通信端末Ａは患者の自宅等に設置され、通信端末Ｂは病院のコールセンタ等に設置され、通信端末Ｃは医者（担当医）の診察室等に設置されている。
【００９７】
通信端末Ａ、Ｂ、及び、Ｃは、それぞれ、音声チャネルとデータチャネルの２つの通信チャネルを同時に使用可能なマルチコール機能を備えている。
【００９８】
また、通信端末Ａ、Ｂ、及び、Ｃは、図１０に示すように、第１の実施の形態で示した構成に加えて外部機器を接続するための外部通信インタフェース１７を備え、コンピュータ（外部機器）２１に接続されている。なお、コンピュータ２１は、キー操作部１１と同一の動作を行うことができる。
【００９９】
また、通信端末Ａに接続されるコンピュータ２１ａは、動画像を取り込むためのカメラ等を備えており、通信端末Ｂに接続されるコンピュータ２１ｂは、患者のカルテデータ等をデータベースとして蓄積しており、通信端末Ｃに接続されるコンピュータ２１ｃは、コンピュータ２１ａと同様に、動画像を取り込むためのカメラ等を備えている。尚、動画像や各種データの情報表示については、通信端末Ａ、Ｂ、Ｃは、それぞれ端末内部の表示部１４あるいはコンピュータ２１に接続された図示しない表示部において情報の確認や送受信画像を見ることができるようになっているものとする。
【０１００】
次に、以上のように構成される通信端末Ａ、Ｂ、及び、Ｃが行う動作を説明する。
図１１は、通信端末Ａ、Ｂ、及び、Ｃがそれぞれ行う動作を示す流れ図である。
【０１０１】
始めに、患者（利用者Ａ）は、診察を受けるために病院に電話する。
具体的には、患者は、通信端末Ａのキー操作部１１ａを所定の手順で操作し、通信端末Ｂの電話番号を入力する。又は、患者は、予めメモリ１５ａに記録（登録）しておいた電話番号の中から、通信端末Ｂの電話番号を選択する。
【０１０２】
キー操作部１１ａは、患者が入力した又は選択した電話番号を示す発信信号を制御部１６ａに出力する。
制御部１６ａは、キー操作部１１ａからの発信信号に応答して無線送受信部１３ａを制御し、音声チャネルを使用して通信端末Ｂに発信する。
【０１０３】
病院のコールセンタのオペレータ（利用者Ｂ）は、通信端末Ｂのキー操作部１１ｂを操作して通信端末Ａからの着信に応答し、患者と通話する。この際、通信端末Ｂの制御部１６ｂは、着信信号に含まれる通信端末Ａの電話番号を無線送受信部１３ｂを介して取得し、メモリ１５ｂに記憶させる。
【０１０４】
オペレータは、患者との通話から、患者が初診であるか否かや、症状等の情報を得る。そして、オペレータは、コンピュータ２１ｂを操作して患者との通話から得た情報を入力する。
制御部１６ｂは、オペレータがコンピュータ２１ｂを操作して入力した患者の症状等をメモリ１５ｂに記憶させる。
【０１０５】
その後、オペレータは、診察に必要な個人情報（保険証番号やカード番号等）の取得に対する了解を患者から得ると、患者の個人情報を取得するため、コンピュータ２１ｂを所定の手順で操作する。これにより、コンピュータ２１ｂは、データチャネルを使用して通信端末Ａから患者の個人情報を取得することを指示するデータ取得信号を制御部１６ｂに出力する。
【０１０６】
制御部１６ｂは、コンピュータ２１ｂからのデータ取得信号に応答して無線送受信部１３ｂを制御し、通信端末Ａに発信する。
続いて、制御部１６ｂは、患者の個人情報を要求する個人情報要求信号を通信端末Ａに送信する。
【０１０７】
通信端末Ａの制御部１６ａは、通信端末Ｂからの個人情報要求信号を無線送受信部１３ａを介して受信し、表示部１４ａ（又はコンピュータ２１ａのディスプレイ）等を制御して送信する情報（データ）の入力を促すメッセージ等を表示する。
【０１０８】
患者は、表示部１４ａ等のメッセージに応答してコンピュータ２１ａを操作し、保険証番号やカード番号等の個人情報を入力する。
制御部１６ａは、患者がコンピュータ２１ａを操作して入力した個人情報を、データチャネルを使用して通信端末Ｂに返信する。
【０１０９】
通信端末Ｂの制御部１６ｂは、通信端末Ａから供給される患者の個人情報を無線送受信部１３ｂを介して受信し、メモリ１５ｂに記憶させる。
その後、制御部１６ｂは、無線送受信部１３ｂを制御して、通信端末Ａとのデータチャネル及び音声チャネルを切断し、医者（担当医）に患者の診察を依頼するため、データチャネルを使用して通信端末Ｃに発信する。
【０１１０】
制御部１６ｂは、通信端末Ｃとの間のデータチャネルを確保した後、通信端末Ａの電話番号、患者の症状及びカルテデータ等をメモリ１５ｂから取り出し、患者情報として通信端末Ｃに送信する。
通信端末Ｃの制御部１６ｃは、通信端末Ｂから供給される患者情報をメモリ１５ｃに記憶させる。
【０１１１】
通信端末Ｂの制御部１６ｂは、患者情報を送信した後、無線送受信部１３ｂを制御して、通信端末Ｃとのデータチャネルを切断する。
通信端末Ｃの制御部１６ｃは、通信端末Ｂとのデータチャネルが切断された後、メモリ１５ｃから通信端末Ａの電話番号を取り出し、無線送受信部１３ｃを制御して、音声チャネルで通信端末Ａに発信する。
【０１１２】
患者は、通信端末Ａのキー操作部１１ａを制御して通信端末Ｃからの着信に応答し、担当医と通話する。
そして、担当医は、音声チャネルでの通話やデータチャネルでの動画像の送受信等により患者を診察し、コンピュータ２１ｃを操作して診察結果及び投薬指示等を入力する。
【０１１３】
通信端末Ｃの制御部１６ｃは、担当医がコンピュータ２１ｃを操作して入力した診察結果を用いて、メモリ１５ｃが記憶している患者のカルテデータを更新する。また、制御部１６ｃは、担当医がコンピュータ２１ｃを操作して入力した投薬指示をメモリ１５ｃに記憶させる。
【０１１４】
診察が終了すると、担当医は、診察結果を通信端末Ｂに送信するため、キー操作部１１ｃ（又はコンピュータ２１ｃ）が備える所定の操作キーを押下する。これにより、キー操作部１１ｃ（又はコンピュータ２１ｃ）は、診察が終了したことを示す診察終了信号を制御部１６ｃに出力する。
【０１１５】
制御部１６ｃは、キー操作部１１ｃ（又はコンピュータ２１ｃ）からの診察終了信号に応答して、通信端末Ａとの間の音声チャネル及びデータチャネルを切断する。
続いて、制御部１６ｃは、メモリ１５ｃから通信端末Ｂの電話番号を取得し、無線送受信部１３ｃを制御して、データチャネルで通信端末Ｂに発信する。
【０１１６】
制御部１６ｃは、通信端末Ｂとの間のデータチャネルを確保した後、メモリ１５ｃが記憶している通信端末Ａの電話番号、患者のカルテデータ及び投薬指示を診察結果情報として通信端末Ｂに送信する。
そして、制御部１６ｃは、無線送受信部１３ｃを制御し、通信端末Ｂとのデータチャネルを切断する。
【０１１７】
通信端末Ｂの制御部１６ｂは、通信端末Ｃから供給される診察結果情報を無線送受信部１３ｂを介して受信し、患者に請求する診察料金を算出する。また、制御部１６ｂは、診察結果情報が示す投薬指示から患者に送信する処方箋のデータを作成する。
【０１１８】
その後、制御部１６ｂは、無線送受信部１３ｂを制御し、データチャネルを使用して診察結果情報が示す通信端末Ａの電話番号に発信する。
そして、制御部１６ｂは、通信端末Ａとのデータチャネルを確保した後、診察料金や処方箋のデータを通信端末Ａに送信し、通信端末Ａとのデータチャネルを切断する。
【０１１９】
通信端末Ａの制御部１６ａは、通信端末Ｂから供給される診察料金や処方箋のデータを無線送受信部１３ａを介して受信し、メモリ１５ａに記憶させる。また、制御部１６ａは、表示部１４ａを制御し、受信した診察料金や処方箋の内容を表示して患者に提示する。
【０１２０】
以上のように、病院のオペレータ（利用者Ｂ）は、通信端末Ｂを操作して担当医（利用者Ｃ）に患者（利用者Ａ）に関する情報を送信し、担当医から患者に電話させることができる。一方、担当医は、通信端末Ｃが通信端末Ｂから供給される患者に関する情報を用いて通信端末Ａに発信することにより、患者と通話することができる。
【０１２１】
また、各通信端末Ａ、Ｂ、及び、Ｃの制御部１６ａ、１６ｂ、及び、１６ｃが、通信アプリケーションに従って、音声チャネル及びデータチャネルの接続を動的に制御する。さらに、患者に関する情報は、データとして各通信端末間で送受信されて共有される。このため、簡単な操作で多くの情報（データ）を正確に送受信することができる。
【０１２２】
この第３の実施の形態も、上記例に限定されない。例えば、患者と病院との間、病院と医者との間、患者と医者との間でデータを送受信する場合には、双方の通信端末をデータ通信モードに設定すればよい。この場合、制御部１６は、データ通信モードに設定されると、通話相手とデータ通信相手とが同一となるように無線送受信部１３を制御する。そして、制御部１６は、通信端末がデータ通信モードに設定されたことを示すモード設定完了信号を相手の端末に送信する。また、制御部１６は、相手の端末からモード設定完了信号が供給されるか否かを判別することにより、相手の端末も同じデータ通信モードに設定されたか否かを判別する。制御部１６は、相手の端末が同じモードに設定されていないと判別した場合は、データを送信しないようにする。
【０１２３】
なお、第１及び第２の実施の形態では、キー操作部１１の発信信号により音声チャネルで通信相手の端末に発信しているが、データチャネルを使用して発信してもよい。
【０１２４】
また、音声チャネルでの電話通信を行わず、データチャネルのみを使用して通信を行ってもよい。
【０１２５】
また、第１及び第２の実施の形態では、２つのチャネルの内、１つを音声チャネル、もう１つをデータチャネルとして使用しているが、２つのチャネルの両方をデータチャネルとして使用してもよい。このようにすると、１つの通信端末と２つの通信端末との間で同時にデータの送受信を行うことができる。
【０１２６】
また、第１及び第２の実施の形態で示したように、制御部１６が通信アプリケーションに従ってチャネルの接続を制御するため、上記通信端末を三者以上の間で行われる通信に適用することにより、上記と同様に、簡単な操作で多くの情報（データ）を正確に送受信することができる。
【０１２７】
また、データを送受信する方法は、デジタルデータを送受信することができれば何でもよい。例えば、非制限デジタル、ショートメール、又は、音声通信で使用されるＤＴＭＦ（Dual Tone Multi Frequency ）等を用いてデータを送受信してもよい。
【０１２８】
また、上記通信端末Ａ，Ｂ，Ｃは、ＩＭＴ−２０００に限らず、複数のチャネルを同時接続可能な規格に対応していればよい。例えば、ＩＳＤＮ（Integrated Service Digital Network）等に対応していてもよい。
【０１２９】
また、第２の実施の形態では、患者、病院、及び、担当医の３者間での通信を示したが、これに限らず生徒、学校、教師の３者間通信など様々なモデルに適用することができる。
【０１３０】
また、第２の実施の形態において、通信アプリケーションは通信端末のメモリ１５ではなく、外部機器（コンピュータ２１）のメモリ等に記憶されていてもよい。
また、コンピュータ２１が備えるカメラ等は、通信端末が備えていてもよい。また、通信端末がコンピュータ等に組み込まれていてもよい。
【０１３１】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ等）に記録して配布し、これをインストールしてＯＳ上で実行することにより、この発明の装置を実現できる。
また、プログラム及びデータの配布は、ＣＤ−ＲＯＭ等に限らず、通信回線等を介して行われてもよい。
【０１３２】
【発明の効果】
以上の説明から明らかなように、本発明によって、簡単な操作で通信を行うことができる。
【図面の簡単な説明】
【図１】第１の実施の形態にかかる通信システムの構成図である。
【図２】図１に示す通信システムを構成する通信端末の構成図である。
【図３】各通信端末に格納されるデータの例を示す図である。
【図４】第１の実施の形態において、各通信端末が行う通信動作を説明するためのフローチャートである。
【図５】第１の実施の形態の具体例の通信システムの構成図である。
【図６】第１の実施の形態の具体例の動作を説明するための流れ図である。
【図７】各通信端末に格納される電話帳データの例を示す図である。
【図８】第２の実施の形態において、各通信端末が行う通信動作を説明するためのフローチャートである。
【図９】第２の実施の形態の具体例の通信システムの動作を説明するための流れ図である。
【図１０】第３の実施の形態にかかる診察システムを構成する通信端末の構成図である。
【図１１】診察システムを構成する各通信端末が行う通信動作を示す流れ図である。
【符号の説明】
１１  キー操作部
１２  送受話部
１３  無線送受信部
１４  表示部
１５  メモリ
１６  制御部
１７  外部通信インタフェース
２１  コンピュータ
【図１】
0003757153.tif 000002
【図２】
0003757153.tif 000003
【図３】
0003757153.tif 000004
【図４】
0003757153.tif 000005
【図５】
0003757153.tif 000006
【図６】
0003757153.tif 000007
【図７】
0003757153.tif 000008
【図８】
0003757153.tif 000009
【図９】
0003757153.tif 000010
【図１０】
0003757153.tif 000011
【図１１】
0003757153.tif 000012